【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
1つまたは複数のシステム情報(SI)グラント送信を送信するために、複数のウィンドウについての構成情報を有する信号を取得するステップであって、前記1つまたは複数のSIグラント送信の各SIグラント送信が、複数の同期信号(SS)ブロックの異なるSSブロックに対応し、前記複数のSSブロックの各異なるSSブロックが、前記複数のウィンドウの異なるウィンドウに対応し、前記複数のSSブロックの各SSブロックが、複数の送信ビームの異なる送信ビームに関連し、前記構成情報が、前記1つまたは複数のSIグラント送信の少なくとも1つのSIグラント送信に関連する前記複数の送信ビームの1つの送信ビームのビームインデックスの指示を提供し、前記1つまたは複数のSIグラント送信が、残りの最小システム情報(RMSI)ブロックグラント送信を含む、ステップと、
前記構成情報に従って前記複数のウィンドウの1つまたは複数のウィンドウの中で前記1つまたは複数のSIグラント送信をモニタするステップであって、前記ビームインデックスに基づいて前記少なくとも1つのSIグラント送信をモニタするために前記複数のウィンドウの第1のウィンドウを決定するステップと、前記決定した第1のウィンドウの中で前記少なくとも1つのSIグラント送信をモニタするステップとを含む、ステップと
を含む、方法。
【請求項２】
前記モニタするステップが、システム情報を受信するように1つまたは複数のSIチャネルの物理ダウンリンク共有チャネル(PDSCH)をスケジュールする物理ダウンリンク制御チャネル(PDCCH)をモニタするステップを含む、請求項1に記載の方法。
【請求項３】
前記構成情報の少なくとも一部が標準規格によって定義される、請求項1に記載の方法。
【請求項４】
前記構成情報を取得するステップがマスタ情報ブロック(MIB)、残りの最小SI(RMSI)ブロック、またはハンドオーバーコマンドを介してネットワークエンティティから前記構成情報を取得するステップを含む、請求項1に記載の方法。
【請求項５】
前記1つまたは複数のSIグラント送信が、他のシステム情報(OSI)グラント送信をさらに含む、請求項1に記載の方法。
【請求項６】
前記構成情報がさらに、前記複数のSSブロックに対応するSSバーストセット内のSSブロックの数を伝達する、請求項1に記載の方法。
【請求項７】
前記構成情報がさらに、システム情報の周期を伝達する、請求項1に記載の方法。
【請求項８】
前記システム情報の前記周期が、同期信号の周期と同じである、請求項7に記載の方法。
【請求項９】
前記RMSIが、連続的に、しかし前記複数のSSブロックのSSブロックからシフトされて伝達される、請求項1に記載の方法。
【請求項１０】
前記構成情報がさらに、前記複数のSSブロックに対する前記RMSIブロックグラント送信についてのオフセットを含む、請求項1に記載の方法。
【請求項１１】
前記複数のウィンドウの少なくとも1つのウィンドウが前記複数のSSブロックのうちの複数のSSブロックについて同じである、請求項1に記載の方法。
【請求項１２】
前記複数のウィンドウが、前記複数のSSブロックの異なるSSブロックによって異なることがある、請求項1に記載の方法。
【請求項１３】
前記複数のSSブロックの各SSブロックに対応する、前記複数のウィンドウの1つまたは複数のウィンドウの持続時間が、前記1つまたは複数のSIグラント送信の持続時間に等しい、請求項1に記載の方法。
【請求項１４】
モニタするステップが、前記構成情報に従って前記複数のウィンドウの1つまたは複数のウィンドウの中で1つのスロットだけをモニタするステップを含む、請求項1に記載の方法。
【請求項１５】
前記複数のSSブロックの各SSブロックが、少なくとも、1次同期信号(PSS)、2次同期信号(SSS)、および物理ブロードキャストチャネル(PBCH)情報を含む、請求項1に記載の方法。
【請求項１６】
前記信号が物理ブロードキャストチャネル(PBCH)を含む、請求項1に記載の方法。
【請求項１７】
ネットワークエンティティによるワイヤレス通信の方法であって、
1つまたは複数のシステム情報(SI)グラント送信を送信するために、複数のウィンドウについての構成情報を有する信号を送信するステップであって、前記1つまたは複数のSIグラント送信の各SIグラント送信が、複数の同期信号(SS)ブロックの異なるSSブロックに対応し、前記複数のSSブロックの各異なるSSブロックが、前記複数のウィンドウの異なるウィンドウに対応し、前記複数のSSブロックの各SSブロックが、複数の送信ビームの異なる送信ビームに関連し、前記構成情報が、前記1つまたは複数のSIグラント送信の少なくとも1つのSIグラント送信に関連する前記複数の送信ビームの1つの送信ビームのビームインデックスの指示を提供し、前記1つまたは複数のSIグラント送信が、残りの最小システム情報(RMSI)ブロックグラント送信を含む、ステップと、
前記構成情報に従って前記複数のウィンドウの中で前記1つまたは複数のSIグラント送信を送るステップであって、前記ビームインデックスに基づいて前記少なくとも1つのSIグラント送信を送るために前記複数のウィンドウの第1のウィンドウを決定するステップと、前記決定した第1のウィンドウの中で前記少なくとも1つのSIグラント送信を送るステップとを含む、ステップとを含む、方法。
【請求項１８】
前記送るステップが、システム情報を受信するように1つまたは複数のSIチャネルの物理ダウンリンク共有チャネル(PDSCH)をスケジュールする物理ダウンリンク制御チャネル(PDCCH)を送るステップを含む、請求項17に記載の方法。
【請求項１９】
前記構成情報の少なくとも一部が、標準規格によって定義される、請求項17に記載の方法。
【請求項２０】
前記構成情報を送信するステップが、マスタ情報ブロック(MIB)、残りの最小SI(RMSI)ブロック、またはハンドオーバーコマンドを介して前記構成情報を送信するステップを含む、請求項17に記載の方法。
【請求項２１】
前記1つまたは複数のSIグラント送信が他のシステム情報(OSI)グラント送信をさらに含む、請求項17に記載の方法。
【請求項２２】
前記構成情報がさらに、前記複数のSSブロック内のSSブロックの数を伝達する、請求項17に記載の方法。
【請求項２３】
前記構成情報がさらに、システム情報の周期を伝達する、請求項17に記載の方法。
【請求項２４】
前記システム情報の前記周期が、同期信号の周期と同じである、請求項23に記載の方法。
【請求項２５】
前記RMSIブロックグラント送信が、連続的に、しかし前記複数のSSブロック内のSSブロックからシフトされて伝達される、請求項17に記載の方法。
【請求項２６】
前記構成情報が、前記複数のSSブロックに対する前記RMSIブロックグラント送信についてのオフセットを含む、請求項17に記載の方法。
【請求項２７】
前記複数のウィンドウの少なくとも1つのウィンドウが、前記複数のSSブロックのうちの複数のSSブロックについて同じである、請求項17に記載の方法。
【請求項２８】
前記複数のウィンドウが、前記複数のSSブロックの異なるSSブロックによって異なることがある、請求項17に記載の方法。
【請求項２９】
前記複数のSSブロックの各SSブロックに対応する、前記複数のウィンドウの1つまたは複数のウィンドウの持続時間が、前記1つまたは複数のSIグラント送信の持続時間に等しい、請求項17に記載の方法。
【請求項３０】
ユーザ機器(UE)によるワイヤレス通信の方法であって、
1つまたは複数のページングダウンリンク制御情報(DCI)送信を送信するための複数のウィンドウについての構成情報を有する信号を取得するステップであって、前記1つまたは複数のページングDCI送信の各ページングDCI送信が、複数の同期信号(SS)ブロックの異なるSSブロックに対応し、前記複数のSSブロックの各異なるSSブロックが、前記複数のウィンドウの異なるウィンドウに対応し、前記1つまたは複数のページングDCI送信の各ページングDCI送信が、複数の送信ビームの異なる送信ビームに関連し、前記構成情報が、前記1つまたは複数のページングDCI送信の少なくとも1つのページングDCI送信に関連する前記複数の送信ビームの1つの送信ビームのビームインデックスの指示を提供し、前記構成情報が残りの最小SI(RMSI)ブロックにおいて取得される、ステップと、
前記構成情報に従って前記複数のウィンドウの1つまたは複数のウィンドウの中で前記1つまたは複数のページングDCI送信をモニタするステップであって、前記ビームインデックスに基づいて前記少なくとも1つのページングDCI送信をモニタするために前記複数のウィンドウの第1のウィンドウを決定するステップと、前記決定した第1のウィンドウの中で前記少なくとも1つのページングDCI送信をモニタするステップとを含む、ステップと
を含む、方法。
【請求項３１】
ページングオケージョンの宣言に基づいて前記1つまたは複数のページングDCI送信をモニタするためのモニタリングウィンドウを決定するステップをさらに含む、請求項30に記載の方法。
【請求項３２】
前記構成情報の一部が、標準規格によって定義される、請求項30に記載の方法。
【請求項３３】
ネットワークエンティティが、マスタ情報ブロック(MIB)、他のシステム情報(OSI)、無線リソース制御(RRC)シグナリング、媒体アクセス制御制御要素(MAC-CE)ベースのシグナリング、またはハンドオーバーメッセージのうちの少なくとも1つを介して前記構成情報をさらに伝達する、請求項30に記載の方法。
【請求項３４】
前記構成情報がさらに、1つまたは複数のページングDCI送信の周期を伝達する、請求項30に記載の方法。
【請求項３５】
前記構成情報が、前記複数のSSブロックに対する前記1つまたは複数のページングDCI送信についてのオフセットを含む、請求項30に記載の方法。
【請求項３６】
前記1つまたは複数のページングDCI送信が、連続的に、しかし前記複数のSSブロック内のSSブロックからシフトされて伝達される、請求項30に記載の方法。
【請求項３７】
前記複数のウィンドウの少なくとも1つのウィンドウが、前記複数のSSブロックのうちの複数のSSブロックについて同じである、請求項30に記載の方法。
【請求項３８】
前記複数のウィンドウが、前記複数のSSブロックの異なるSSブロックについて異なることがある、請求項30に記載の方法。
【請求項３９】
前記1つまたは複数のページングDCI送信をモニタするための前記複数のウィンドウの1つまたは複数のウィンドウの持続時間が、前記1つまたは複数のページングDCI送信の持続時間に等しく、
モニタするステップが、前記構成情報に従って前記1つまたは複数のページングDCI送信を探索するために、ページング周期内に1つのスロットだけをモニタするステップを含む、請求項30に記載の方法。
【請求項４０】
ネットワークエンティティによるワイヤレス通信の方法であって、
1つまたは複数のページングダウンリンク制御情報(DCI)送信を送信するための複数のウィンドウについての構成情報を有する信号を送信するステップであって、前記1つまたは複数のページングDCI送信の各ページングDCI送信が、複数の同期信号(SS)ブロックの異なるSSブロックに対応し、前記複数のSSブロックの各異なるSSブロックが、前記複数のウィンドウの異なるウィンドウに対応し、前記1つまたは複数のページングDCI送信の各ページングDCI送信が、複数の送信ビームの異なる送信ビームに関連し、前記構成情報が、前記1つまたは複数のページングDCI送信の少なくとも1つのページングDCI送信に関連する複数の送信ビームの1つの送信ビームのビームインデックスの指示を提供し、前記構成情報を送信することが、残りの最小SI(RMSI)ブロックを介して前記構成情報を送信することを含む、ステップと、
前記構成情報に従って前記複数のウィンドウの中で前記1つまたは複数のページングDCI送信を送るステップであって、前記ビームインデックスに基づいて前記少なくとも1つのページングDCI送信を送るために前記複数のウィンドウの第1のウィンドウを決定するステップと、前記決定した第1のウィンドウの中で前記少なくとも1つのページングDCI送信を送るステップとを含む、ステップと
を含む、方法。
【請求項４１】
前記1つまたは複数のページングDCI送信に対するモニタリングウィンドウをページングオケージョンとして宣言するステップをさらに含む、請求項40に記載の方法。
【請求項４２】
前記構成情報の一部が、標準規格によって定義される、請求項40に記載の方法。
【請求項４３】
前記構成情報を送信するステップが、マスタ情報ブロック(MIB)、無線リソース制御(RRC)シグナリング、媒体アクセス制御制御要素(MAC-CE)ベースのシグナリング、またはハンドオーバーメッセージのうちの少なくとも1つを介して前記構成情報を送信するステップをさらに含む、請求項40に記載の方法。
【請求項４４】
前記構成情報がさらに、1つまたは複数のページングDCI送信の周期を伝達する、請求項40に記載の方法。
【請求項４５】
前記構成情報が、前記複数のSSブロックに対する前記1つまたは複数のページングDCI送信についてのオフセットを含む、請求項40に記載の方法。
【請求項４６】
前記1つまたは複数のページングDCI送信が、連続的に、しかし前記複数のSSブロック内のSSブロックからシフトされて伝達される、請求項40に記載の方法。
【請求項４７】
前記複数のウィンドウの少なくとも1つのウィンドウが前記複数のSSブロックのうちの複数のSSブロックについて同じである、請求項40に記載の方法。
【請求項４８】
前記複数のウィンドウが、前記複数のSSブロックの異なるSSブロックによって異なることがある、請求項40に記載の方法。
【請求項４９】
前記1つまたは複数のページングDCI送信をモニタするための前記複数のウィンドウの1つまたは複数のウィンドウの持続時間が、前記1つまたは複数のページングDCIの持続時間と等しい、請求項40に記載の方法。